(57)【特許請求の範囲】
【請求項１】
弾性体からなるクリーニングブレードを片持ち支持し、クリーニングブレードの自由端側先端を、回転する像担持体表面に、その回転方向に対しカウンター方向に当接して像担持体表面を清掃する画像形成装置であって、
クリーニングブレードが像担持体との摩擦力によって像担持体側に折り返されるのを規制するストッパーを、像担持体表面と、クリーニングブレードの自由端部分の像担持体表面に対向する側の主面との間の空間に、その主面に接触した状態または間隙を有する状態で配置するとともに、
前記クリーニングブレードは、像担持体の軸方向に沿って伸びる長尺部材であり、
前記ストッパーは、クリーニングブレードの長手方向の両端部に対応する位置にそれぞれ設けられ、
一方のストッパーは、
その基端部が、クリーニングブレードの長手方向にクリーニングブレードを挟んで相対する一方の側の位置で筐体により保持され、その先端部が、クリーニングブレードの一方の端部に対応する位置までクリーニングブレードに向かって延出され、
他方のストッパーは、
その基端部が、前記相対する他方の側の位置で前記筐体に取着され、その先端部が、クリーニングブレードの他方の端部に対応する位置までクリーニングブレードに向かって延出される構成になっていることを特徴とする画像形成装置。
【請求項２】
前記クリーニングブレードは、支持部材を介して前記筐体に保持されることを特徴とする請求項１に記載の画像形成装置。
【請求項３】
弾性体からなるクリーニングブレードを片持ち支持し、クリーニングブレードの自由端側先端を、回転する像担持体表面に、その回転方向に対しカウンター方向に当接して像担持体表面を清掃する画像形成装置であって、
クリーニングブレードが像担持体との摩擦力によって像担持体側に折り返されるのを規制するストッパーを、像担持体表面と、クリーニングブレードの自由端部分の像担持体表面に対向する側の主面との間の空間に、その主面に接触した状態または間隙を有する状態で配置するとともに、
像担持体を帯電させる放電電極を有する帯電手段を備え、
前記帯電手段は、
放電電極を囲むように設けられ、像担持体に対向する側に開口を有する安定板を備え、
前記ストッパーは、
前記安定板の、クリーニングブレードの主面に対向する部分から、前記主面に向かって延出されるようにして設けられていることを特徴とする画像形成装置。
【請求項４】
前記ストッパーは、
安定板と一体に形成されていることを特徴とする請求項３に記載の画像形成装置。
【請求項５】
前記クリーニングブレードを支持部材を介して保持すると共に前記帯電チャージャを保持する筐体を備えることを特徴とする請求項３または４に記載の画像形成装置。
【発明の詳細な説明】
【技術分野】
【０００１】
本発明は、像担持体表面に当接してその表面を清掃するクリーニングブレードを有する画像形成装置に関する。
【背景技術】
【０００２】
感光体ドラム上に顕像化されたトナー像を記録シートに転写する方式の画像形成装置では、転写されずに感光体ドラム上に残ったトナーをクリーナにより清掃する構成になっている。この清掃方法としては、例えばポリウレタン等の弾性体からなるクリーニングブレード（以下、「ブレード」という。）をホルダにより片持ち支持し、ブレードの自由端側の先端を、回転する感光体ドラム表面に、その回転方向に対しカウンター方向に当接して、感光体ドラム上に残ったトナーを掻き取って回収する方法が一般的である。
【特許文献１】特開平５−２８９５９５号公報
【発明の開示】
【発明が解決しようとする課題】
【０００３】
上記のようなブレードを当接させる方法の場合、感光体ドラムとブレード間の摩擦力が増大すると、ブレードの先端部分が、回転する感光体ドラムに引っ張られて感光体ドラム側に折り返される、いわゆるブレード捲れが発生することがある。ブレード捲れが発生すると、ブレードの変形や欠けが生じ、清掃性能が大きく劣化することになる。
このようなブレード捲れを防止するには、ブレードの自由端長をできるだけ短くして、ブレードを撓ませないようにすることが考えられる。
【０００４】
しかしながら、自由端長を短くすると感光体ドラムとの当接力が増大して、感光体ドラムに掛かる負荷が大きくなると共にブレードの磨耗が進み易くなって、感光体ドラムとブレード双方の寿命を短くすることになってしまう。
本発明は、上述のような問題点に鑑みてなされたものであって、ブレードを感光体ドラム等の像担持体表面に適正圧で当接させつつブレード捲れを防止できる画像形成装置を提供することを目的とする。
【課題を解決するための手段】
【０００５】
上記目的を達成するため、本発明に係る画像形成装置は、弾性体からなるクリーニングブレードを片持ち支持し、クリーニングブレードの自由端側先端を、回転する像担持体表面に、その回転方向に対しカウンター方向に当接して像担持体表面を清掃する画像形成装置であって、クリーニングブレードが像担持体との摩擦力によって像担持体側に折り返されるのを規制するストッパーを、像担持体表面と、クリーニングブレードの自由端部分の像担持体表面に対向する側の主面との間の空間に、その主面に接触した状態または間隙を有する状態で配置するとともに、前記クリーニングブレードは、像担持体の軸方向に沿って伸びる長尺部材であり、前記ストッパーは、クリーニングブレードの長手方向の両端部に対応する位置にそれぞれ設けられ、一方のストッパーは、その基端部が、クリーニングブレードの長手方向にクリーニングブレードを挟んで相対する一方の側の位置で筐体により保持され、その先端部が、クリーニングブレードの一方の端部に対応する位置までクリーニングブレードに向かって延出され、他方のストッパーは、その基端部が、前記相対する他方の側の位置で前記筐体に取着され、その先端部が、クリーニングブレードの他方の端部に対応する位置までクリーニングブレードに向かって延出される構成になっていることを特徴とする。
【発明の効果】
【０００６】
このようなストッパーを配置することで、クリーニングブレードの自由端長を適正長さに設定して適正な当接圧を得つつ、クリーニングブレードの長手方向両端においてブレード捲れを防止することが可能になる。
【０００８】
また、前記クリーニングブレードは、支持部材を介して前記筐体に保持されることを特徴とする。
このようにすれば、クリーニングブレードとストッパーを同じ部材で保持することができ、装置構成の簡素化を図ることができる。
【０００９】
また、弾性体からなるクリーニングブレードを片持ち支持し、クリーニングブレードの自由端側先端を、回転する像担持体表面に、その回転方向に対しカウンター方向に当接して像担持体表面を清掃する画像形成装置であって、クリーニングブレードが像担持体との摩擦力によって像担持体側に折り返されるのを規制するストッパーを、像担持体表面と、クリーニングブレードの自由端部分の像担持体表面に対向する側の主面との間の空間に、その主面に接触した状態または間隙を有する状態で配置するとともに、像担持体を帯電させる放電電極を有する帯電手段を備え、前記帯電手段は、放電電極を囲むように設けられ、像担持体に対向する側に開口を有する安定板を備え、前記ストッパーは、前記安定板の、クリーニングブレードの主面に対向する部分から、前記主面に向かって延出されるようにして設けられていることを特徴とする。
このようにすれば、クリーニングブレードの主面により近い位置にストッパーを配置する構成をとることが可能になる。
【００１０】
さらに、前記ストッパーは、安定板と一体に形成されていることを特徴とする。
このようにすれば、別部材で形成する構成に比べて低コスト化を図れる。
また、前記クリーニングブレードを支持部材を介して保持すると共に前記帯電チャージャを保持する筐体を備えることを特徴とする。
このようにすれば、クリーニングブレードと帯電チャージャを同じ筐体で保持でき、両者をより高精度に位置決めすることができる。
【発明を実施するための最良の形態】
【００１２】
以下、本発明に係る画像形成装置の実施の形態を、タンデム型カラーデジタルプリンタ（以下、単に「プリンタ」という。）を例に説明する。
＜第１の実施の形態＞
（プリンタの全体構成）
図１は、プリンタ１０の全体の構成を示す図である。
【００１３】
同図に示すように、プリンタ１０は、画像プロセス部１１、給送部１２、定着部１３および制御部１４などを備えており、ネットワーク、例えばＬＡＮに接続されて、外部の端末装置（不図示）からの印刷（プリント）ジョブの実行指示を受け付けると、その指示に基づいてプリントジョブを実行するものである。
画像プロセス部１１は、イエロー（Ｙ）、マゼンタ（Ｍ）、シアン（Ｃ）およびブラック（Ｋ）の各色のそれぞれに対応する作像部２１Ｙ、２１Ｍ、２１Ｃ、２１Ｋと、露光部２２と、無端状の中間転写ベルト２３と、各色に対応するトナーホッパ２４Ｙ〜２４Ｋなどを備える。
【００１４】
作像部２１Ｙは、同図の矢印方向に回転駆動される像担持体の一例としての感光体ドラム１、その周囲に配された帯電チャージャ２、現像器３、一次転写ローラ４、クリーナ５などからなる。この構成は、他の作像部２１Ｍ〜２１Ｋについて同様である。なお、同図では符号を省略している。露光部２２は、各色用の感光体ドラム１を露光走査するためのレーザ光ＬＢを出射する。
【００１５】
トナーホッパ２４Ｙ〜２４Ｋは、対応する色の現像器３に補充用のトナーを補給する。
中間転写ベルト２３は、駆動ローラ３１と従動ローラ３２に張架されており、同図の矢印方向に循環駆動される。
給送部１２は、シートＳを収容する給紙カセット４１と、給紙カセット４１内のシートＳを搬送路４３に１枚ずつ繰り出す繰り出しローラ４２と、繰り出されたシートＳを二次転写位置４６に送り出すタイミングをとるためのタイミングローラ対４４と、二次転写ローラ４５などを備えている。
【００１６】
制御部１４は、外部の端末装置から送信されて来る画像信号を受信して、これをＹ〜Ｋ色用のデジタル画像信号に変換し、画像プロセス部１１、給送部１２等を制御して、プリント動作を実行させる。
具体的には、作像部２１Ｙ〜２１Ｋごとに、感光体ドラム１が帯電チャージャ２により一様に帯電され、帯電された感光体ドラム１の表面が露光部２２からのレーザ光ＬＢにより露光走査されて静電潜像が形成され、形成された静電潜像は、現像器３によって現像されてトナー像として顕像化される。
【００１７】
現像された各色のトナー像は、各一次転写ローラ４による静電力の作用により感光体ドラム１から中間転写ベルト２３上に一次転写される。各色の作像動作は、トナー像が中間転写ベルト２３上の同じ位置に重ねられるようにタイミングをずらして実行される。
中間転写ベルト２３上の各色トナー像は、中間転写ベルト２３の循環駆動により二次転写位置４６に移動する。
【００１８】
中間転写ベルト２３上の各色トナー像の移動タイミングに合わせて、給送部１２からは、タイミングローラ対４４を介してシートＳが給送されて来ており、そのシートＳは、循環駆動される中間転写ベルト２３と二次転写ローラ４５の間に挟まれて搬送され、二次転写位置４６において静電力により中間転写ベルト２３上の各色トナー像が一括してシートＳ上に二次転写される。
【００１９】
二次転写位置４６を通過したシートＳは、定着部１３に搬送され、ここでトナー像が加熱、加圧されてシートＳに定着された後、排出ローラ対４７を介して排出トレイ４８上に排出される。
一次転写されずに感光体ドラム１上に残ってしまったトナー（残留トナー）は、クリーナ５により除去される。
【００２０】
（クリーナ５の構成）
図２は、クリーナ５の構成を示す断面図である。
同図に示すように、クリーナ５は、ハウジング５０、ブレード５１、支持部材５２、ストッパー５３、５４（図４参照）、シール５５などを備えている。
ハウジング５０は、ブレード５１〜シール５５などの部材を保持するための筐体であり、本体フレーム５９に支持されている。同図に示す本体フレーム５９は、装置後側に位置するものであり、一対をなす装置前側に位置する本体フレームは、図示が省略されている。本体フレーム５９は、感光体ドラム１の軸９を回転自在に保持する。また、帯電チャージャ２を、感光体ドラム１に対し所定間隔を空けた位置に保持する。なお、帯電チャージャ２がブレード５１と共にハウジング５０により保持される構成とすることもできる。
【００２１】
ブレード５１は、ウレタンゴムなどの弾性体からなり、支持部材５２によって片持ち支持され、自由端側先端（以下、「ブレード先端」という。）５１０を、感光体ドラム１の回転方向に向き合う（カウンター）方向に、回転する感光体ドラム１表面に当接して、感光体ドラム１上の残留トナーや紙粉等を掻き落とし除去（清掃）する。掻き落とされた残留トナー等は、不図示の回収容器に回収される。
【００２２】
ブレード５１は、感光体ドラム１の回転軸方向長さと略同じ長さを有する長尺部材であり、その物性値として、例えばヤング率Ｅが５０〜８０〔ｋｇ／ｃｍ２〕、硬度が６５〜７５〔ＪＩＳ  Ａ°〕、反発弾性係数が２０〜６０〔％：２５℃〕のものが用いられる。このようなブレード５１を用いる場合の設計条件としては、図３に示すように、ブレード５１の自由端長をＬ、厚みをｔ、感光体ドラム１に対する食い込み量をΔｕ、ブレード５１の感光体ドラム１との当接部５１３と感光体ドラム１の軸芯Ｏとを結ぶ線の法線５１４と、ブレード５１の主面５１１（ブレード５１の自由端部分５１５の感光体ドラム１表面に対向する側の主面。以下、「ブレード主面」という。）とがなす角をθとしたとき、例えば、Ｌ＝１０±０．１５〔ｍｍ〕、ｔ＝２±０．１〔ｍｍ〕、長手方向の長さが３４０〔ｍｍ〕、Δｕ＝１．０〜２．０〔ｍｍ〕、線圧（当接圧）Ｐが１５〜３５〔Ｎ／ｍ〕、θ＝２０〜３０〔°〕の範囲になるように設定される。なお、当接圧Ｐは、Ｐ＝Δｕ・Ｅ・ｔ３／（４・Ｌ３）で表わすことができる。
【００２３】
図２に戻って、支持部材５２は、金属製であり、支持部材５２とブレード５１は、接着剤などにより固定される。固定方法がこれに限られないことはいうまでもない。支持部材５２は、ハウジング５０にネジで固定される。
ストッパー５３、５４は、ブレード５１が感光体ドラム１との摩擦力により感光体ドラム１側に折り返されることを規制するための金属製の部材であり、ブレード主面５１１と間隙Δｄを介して離間した状態でハウジング５０にネジで固定される。
【００２４】
シール５５は、その先端が感光体ドラム１表面に接触して、ブレード５１により掻き取られたトナーがハウジング５０内から外部に噴出しないように遮蔽する。
（ストッパーの構成）
図４は、クリーナ５を図２の矢印Ａ方向から見たときの側面図であり、図５は、ブレード５１とストッパー５３を図４の矢印Ｂ方向から見たときの分解斜視図であり、図６は、ブレード５１とストッパー５３を図４の矢印Ｄ方向から見たときの平面図である。
【００２５】
各図に示すように、ストッパー５３、５４は、ハウジング５０の、装置前後方向（ブレード５１の長手方向）両側に設けられた位置決め部５０１、５０２に固定される。ストッパー５３、５４は、その先端部５３０、５４０がブレード５１の長手方向に見たときにブレード５１の両端部５１７、５１８とだけ重なり合うように配置されている。
ストッパー５３は、図５に示すようにＬ字状であり、先端部５３０が感光体ドラム１表面とブレード主面５１１との間の空間５１２（図２）に、ブレード主面５１１に対し所定の間隙Δｄ（図５）、例えば０．５〔ｍｍ〕を有するように位置決め部５０１にネジで固定される。間隙Δｄは、ここではブレード５１が感光体ドラム１と当接しつつブレード先端５１０が感光体ドラム１の回転方向下流側に微少に引っ張られている状態で上記の値になるように規定される。
【００２６】
位置決め部５０１には、位置決め用のピン５０３が立設されており、製造時等においてストッパー５３をハウジング５０に固定する作業を行う際には、ストッパー５３の基端部５３１に穿設された孔５３３にピン５０３を挿入することにより簡易に位置決めができるようになっている。上記ではストッパー５３について説明したが、ストッパー５４についても、ブレード５１との位置関係および固定方法は、ストッパー５３と同様である。
【００２７】
ブレード先端５１０は、感光体ドラム１表面との間で生じる摩擦力（この摩擦力は、感光体ドラム１表面の摩擦係数と感光体ドラム１表面への当接力により決まる）を受けて、感光体ドラム１の回転により回転方向下流側に微少に引っ張られたり、元の位置に戻ったりする、いわゆるスティックスリップ現象を起こしながら、清掃動作を繰り返している。
スティックスリップは、ブレード５１の自由端部分５１５の弾性によるものであり、スティックスリップが正常に行われている間は、ブレード先端５１０の微少な動きに伴って感光体ドラム１表面上の残留トナーを掻き落とすことができる。
【００２８】
ところが、長期にわたりスティックスリップを繰り返すことによるブレード５１の疲労変形や、低温環境下におけるブレード５１の硬化による一時的な当接力の増加、感光体ドラム１表面の磨耗による摩擦係数の変化などにより、スティックスリップによるブレード５１の動きが大きくなり、ある量を越えると、ブレード先端５１０が感光体ドラム１の回転方向下流側に引っ張られて、折り返されるというブレード捲れが発生する。
【００２９】
そこで、本実施の形態では、ブレード５１の長手方向両端部５１７、５１８に対応する位置にストッパー５３、５４を配置し、通常時にはブレード５１の動きを拘束することなくスティックスリップを自在に許して清掃を実行すると共に、摩擦力の増大によりブレード先端５１０が感光体ドラム１に引っ張られて感光体ドラム１側に大きく撓もうとしたときには、ストッパー５３、５４に当たってそれ以上の動きを規制することでブレード捲れを防止するようにしている。
【００３０】
このようにストッパー５３、５４を配置することで、ブレード５１の自由端長を適正長さに設定して適正な当接圧を得つつ、ブレード捲れを防止することが可能になる。
また、一対のストッパー５３、５４をブレード５１の長手方向両端にだけ配置している。このようにしているのは、ブレード５１の長手方向両端部５１７、５１８の方が中央部よりも自由度が高く、摩擦力の影響による変動量が中央部よりも大きくなり易いからである。長手方向全域に渡ってストッパーを設ける構成よりもコスト負担を低減できる。もちろん、当該構成を排除するものではない。
【００３１】
上記ではストッパー５３、５４として、ブレード５１の長手方向において、（ａ）ストッパー５３の基端部５３１がブレード５１を挟んで相対する一方の側でハウジング５０に取着されると共に、先端部５３０がブレード５１に向かってブレード５１の端部５１７に対応する位置まで延出され、（ｂ）ストッパー５４の基端部５４１が他方の側でハウジング５０に取着されると共に、先端部５４０がブレード５１の端部５１８に対応する位置まで延出されるようにした構成例を説明したが、これに限られない。
【００３２】
ストッパーとしては、感光体ドラム１表面とブレード主面５１１との間にできる空間５１２に位置し、ブレード主面５１１に対し間隙Δｄを有する（もちろん、感光体ドラム１に接触しない状態で保持される）構成であれば良く、上記の形状や支持方法等と別の形態でも構わない。ブレード捲れを防止できれば、例えばストッパーを一対とせず装置前側だけに配する構成、またブレード５１の長手方向においてブレード５１の中央部に対応する位置に配する構成などをとることも可能である。
【００３３】
さらに、例えばストッパーの一方端が支持部材５２に固定され、他方端がブレード主面５１１に沿ってブレード先端５１０に向けて延出される構成なども考えられる。
＜第２の実施の形態＞
上記実施の形態では、ブレード捲れ防止のためのストッパーをハウジング５０に固定する構成例を説明したが、本実施の形態では、帯電手段としての帯電チャージャに設けており、この点が第１の実施の形態と異なっている。以下、説明の重複を避けるため、第１の実施の形態と同じ内容についてはその説明を省略し、同じ構成要素については、同符号を付すものとする。
【００３４】
図７は、本実施の形態に係る帯電チャージャ６０の構成を示す横断面図であり、図８は、帯電チャージャ６０の装置前側の部分を図７の斜め上方から見たときの斜視図である。
両図に示すように、帯電チャージャ６０は、感光体ドラム１を帯電させる放電電極６１と、放電電極６１を囲むように設けられ、感光体ドラム１に対向する側に開口を有する金属製の安定板６２と、感光体ドラム１の帯電電位を所定値に制御するグリッド電極６３を備える。放電電極６１〜グリッド電極６３は、感光体ドラム１の回転軸方向（ブレード５１の長手方向に相当）に沿って伸びる長尺状であり、放電電極６１とグリッド電極６３は、安定板６２の長手方向両端部にそれぞれ嵌装された樹脂製のハウジング（図８では装置前側のハウジング６６が示されている。）に張架されている。
【００３５】
安定板６２の、ブレード５１側に位置する側壁６４には、長手方向両端部にストッパー６５が設けられている。図８では、装置前側のストッパー６５が示しているが、装置後側も同様のストッパーが安定板６２に設けられている。
ストッパー６５は、断面形状がＬ字状であり、安定板６２の側壁６４からブレード主面５１１に向かって延出されている。ストッパー６５とブレード主面５１１との間隙Δｄは、例えば０．５〔ｍｍ〕になっている。
【００３６】
ストッパー６５は、安定板６２の一部として切削等の加工により作製されるが、一体とする構成に限られない。例えば、ストッパー６５を別部材にして、ストッパー６５を樹脂製にすると共に安定板６２の側壁６４に接着等により取着する構成をとるとしても良い。
＜第３の実施の形態＞
本実施の形態では、ブレード５１を支持する支持部材にストッパーを設けており、この点が上記実施の形態と異なっている。
【００３７】
図９は、本実施の形態における支持部材７０の構成を示す斜視図であり、装置前側の部分だけを示している。
同図に示すように、支持部材７０は、金属製であり、ブレード支持部７１とストッパー７２から構成される。ブレード支持部７１は、ブレード５１を片持ち支持するための部材であり、第１の実施の形態における支持部材５２と基本的に同じものである。
【００３８】
ストッパー７２は、Ｌ字状であり、ブレード支持部７１の一部としてその端部７３に設けられる。ここでは、ブレード５１の端面５１６に接触せず、かつブレード主面５１１に対し、間隙Δｄ（例えば、０．５〔ｍｍ〕）を有するような形状に形成されている。なお、装置後側についても同様の形状のストッパーが設けられている。
ストッパー７２は、支持部材７０の一部としてブレード支持部７１の端部が折り返されるように加工されて作製されるが、これに限られない。例えば、ストッパー７２を別部材にして、ネジ等で固定する構成をとるとしても良い。
【００３９】
＜変形例＞
以上、本発明を実施の形態に基づいて説明してきたが、本発明は、上述の実施の形態に限定されないのは勿論であり、以下のような変形例が考えられる。
（１）上記実施の形態では、ストッパー５３がブレード主面５１１に対し所定の間隙Δｄを有するとしたが、これに限られない。例えば、接触状態とすることもできる。接触状態としても、自由端部分５１５は、感光体ドラム１から離れる方向への動きが制限されないので、スティックスリップによる自由な動きが拘束されず、自由端長Ｌを適正長さに設定することで適正な当接圧を得つつブレード捲れを防止できる。間隙Δｄの大きさは、予め実験等から求められるが、大きくし過ぎるとブレード捲れに至り易い。例えば、上記の設計条件において、感光体ドラム１表面と、ストッパー５３、５４における感光体ドラム１表面と最も近い部分との間隔を０．５〔ｍｍ〕、ストッパー５３、５４の先端部５３０、５４０の厚みを０．５〔ｍｍ〕とするならば、０≦Δｄ≦０．４〔ｍｍ〕の範囲内とすることができる。もちろん、設計条件が異なればその条件に応じて適正値が設定される。
【００４０】
（２）上記実施の形態では、本発明の画像形成装置をタンデム型カラーデジタルプリンタに適用した場合の例を説明したが、これに限られない。カラーやモノクロの画像形成に関わらず、感光体ドラムなどの像担持体にクリーニングブレードをカウンター方向に当接させて像担持体表面を清掃する画像形成装置であれば、例えば複写機、ＦＡＸ、ＭＦＰ（Multiple Function Peripheral）等に適用できる。また、像担持体としてはドラム状のものに限られず、例えばベルト状、具体的には中間転写ベルト２３などであっても良い。
【００４１】
さらに、クリーニングブレードとしては、弾性体であり、像担持体との当接により捲れを引き起こす可能性があるものであれば、ウレタンゴム等の材質に限られないことはいうまでもない。
また、上記実施の形態及び上記変形例をそれぞれ組み合わせるとしても良い。
【産業上の利用可能性】
【００４２】
本発明は、像担持体をクリーニングブレードで清掃する画像形成装置に広く適用することができる。
【図面の簡単な説明】
【００４３】
【図１】第１の実施の形態に係るプリンタの全体の構成を示す図である。
【図２】プリンタに備えられるクリーナの構成を示す断面図である。
【図３】クリーナのクリーニングブレードの自由端長、厚みなどの条件を説明するための図である。
【図４】クリーナを図２の矢印Ａ方向から見たときの側面図である。
【図５】クリーニングブレードとストッパーを図４の矢印Ｂ方向から見たときの分解斜視図である。
【図６】クリーニングブレードとストッパーを図４の矢印Ｄ方向から見たときの平面図である。
【図７】第２の実施の形態に係る帯電チャージャの構成を示す横断面図である。
【図８】帯電チャージャの装置前側に設けられるストッパーを図７の斜め上方から見たときの斜視図である。
【図９】第３の実施の形態におけるストッパーを有する支持部材の構成を示す斜視図である。
【符号の説明】
【００４４】
１      感光体ドラム
２      帯電チャージャ
５      クリーナ
５０      ハウジング
５１      クリーニングブレード
５２、７０      支持部材
５３、５４、６５、７２      ストッパー
６２      安定板
５１０      クリーニングブレードの自由端側先端
５１１      クリーニングブレードの主面
５１５      クリーニングブレードの自由端部分
５１７、５１８      クリーニングブレードの端部
５３０、５４０      ストッパーの先端部
５３１、５４１      ストッパーの基端部
【図１】
0005061787.tif 000002
【図２】
0005061787.tif 000003
【図３】
0005061787.tif 000004
【図４】
0005061787.tif 000005
【図５】
0005061787.tif 000006
【図６】
0005061787.tif 000007
【図７】
0005061787.tif 000008
【図８】
0005061787.tif 000009
【図９】
0005061787.tif 000010